(57)【要約】【課題】ライブビュー撮影とファインダー撮影のいずれの場合でも、焦点検出領域を移動させる操作の良好な操作性を実現する。【解決手段】ユーザーによる移動操作により、画面上の焦点検出領域を移動させることが可能な操作部と、撮影状況に応じて、操作部の操作量に対する画面上での焦点検出領域の移動量を変更するように制御する制御部とを備える。【選択図】  図３
2020171009.tif 000002
【特許請求の範囲】
【請求項１】
ユーザーによる移動操作により、画面上の焦点検出領域を移動させることが可能な操作手段と、
撮影状況に応じて、前記操作手段の操作量に対する画面上での前記焦点検出領域の移動量を変更するように制御する制御手段と、
を備えることを特徴とする撮像装置。
【請求項２】
ユーザーが覗くことにより被写体像を観察可能なファインダーと、撮像装置の背面に設けられ、被写体像を表示可能な表示手段とをさらに備え、
前記制御手段は、前記撮影状況としての、前記表示手段を見ながら撮影を行う場合と、前記ファインダーを見ながら撮影を行う場合とで、前記操作手段の操作量に対する画面上での前記焦点検出領域の移動量を変更するように制御することを特徴とする請求項１に記載の撮像装置。
【請求項３】
前記制御手段は、前記表示手段を見ながら撮影を行う場合の、前記操作手段の操作量に対する画面上での前記焦点検出領域の移動量を、前記ファインダーを見ながら撮影を行う場合の、前記操作手段の操作量に対する画面上での前記焦点検出領域の移動量よりも大きくすることを特徴とする請求項２に記載の撮像装置。
【請求項４】
前記制御手段は、ライブビューを行うスイッチの状態に基づいて、前記表示手段を見ながら撮影を行うか、前記ファインダーを見ながら撮影を行うかを判断することを特徴とする請求項２または３に記載の撮像装置。
【請求項５】
画面上の焦点検出領域の配置数が異なる複数の焦点検出方式で焦点検出を行うことが可能な焦点検出手段をさらに備え、
前記制御手段は、前記撮影状況としての、前記焦点検出領域の配置数が相対的に多い焦点検出方式で焦点検出を行う場合と、前記焦点検出領域の配置数が相対的に少ない焦点検出方式で焦点検出を行う場合とで、前記操作手段の操作量に対する画面上での前記焦点検出領域の移動量を変更することを特徴とする請求項１に記載の撮像装置。
【請求項６】
前記制御手段は、前記焦点検出領域の配置数が相対的に多い焦点検出方式で焦点検出を行う場合の、前記操作手段の操作量に対する画面上での前記焦点検出領域の移動量を、前記焦点検出領域の配置数が相対的に少ない焦点検出方式で焦点検出を行う場合の、前記操作手段の操作量に対する画面上での前記焦点検出領域の移動量よりも大きくすることを特徴とする請求項５に記載の撮像装置。
【請求項７】
画面上の焦点検出領域の配置範囲の広さが異なる複数の焦点検出方式で焦点検出を行うことが可能な焦点検出手段をさらに備え、
前記制御手段は、前記撮影状況としての、前記焦点検出領域の配置範囲の広さが相対的に広い焦点検出方式で焦点検出を行う場合と、前記焦点検出領域の配置範囲の広さが相対的に狭い焦点検出方式で焦点検出を行う場合とで、前記操作手段の操作量に対する画面上での前記焦点検出領域の移動量を変更するように制御することを特徴とする請求項１に記載の撮像装置。
【請求項８】
前記制御手段は、前記焦点検出領域の配置範囲の広さが相対的に広い焦点検出方式で焦点検出を行う場合の、前記操作手段の操作量に対する画面上での前記焦点検出領域の移動量を、前記焦点検出領域の配置範囲の広さが相対的に狭い焦点検出方式で焦点検出を行う場合の、前記操作手段の操作量に対する画面上での前記焦点検出領域の移動量よりも大きくすることを特徴とする請求項７に記載の撮像装置。
【請求項９】
前記制御手段は、モードを切り替えるスイッチの状態に基づいて、どの焦点検出方式が選択されているかを判断することを特徴とする請求項５乃至８のいずれか１項に記載の撮像装置。
【請求項１０】
画像信号から被写体を検出する検出手段をさらに備え、
前記制御手段は、前記撮影状況として、前記検出手段により複数の被写体が検出された場合に、該複数の被写体間の距離に応じて、前記操作手段の操作量に対する画面上での前記焦点検出領域の移動量を変更するように制御することを特徴とする請求項１に記載の撮像装置。
【請求項１１】
前記制御手段は、前記被写体間の距離が一定距離よりも大きくなった場合に、前記操作手段の操作量に対する画面上での前記焦点検出領域の移動量を大きくすることを特徴とする請求項１０に記載の撮像装置。
【請求項１２】
オートフォーカス動作を継続的に行うサーボモードと、１回のオートフォーカス動作で動作を完了するワンショットモードの２つのオートフォーカスモードを有する焦点調節手段をさらに備え、
前記制御手段は、前記撮影状況としての、サーボモードで焦点調節を行う場合と、ワンショットモードで焦点調節を行う場合とで、前記操作手段の操作量に対する画面上での前記焦点検出領域の移動量を変更するように制御することを特徴とする請求項１に記載の撮像装置。
【請求項１３】
前記制御手段は、サーボモードで焦点調節を行う場合の、前記操作手段の操作量に対する画面上での前記焦点検出領域の移動量を、ワンショットモードで焦点調節を行う場合の、前記操作手段の操作量に対する画面上での前記焦点検出領域の移動量よりも大きくすることを特徴とする請求項１２に記載の撮像装置。
【請求項１４】
前記制御手段は、前記撮影状況としての、前記焦点検出領域の密度に応じて、前記操作手段の操作量に対する画面上での前記焦点検出領域の移動量を変更するように制御することを特徴とする請求項１に記載の撮像装置。
【請求項１５】
前記制御手段は、場合の、前記焦点検出領域の密度が高い場合の、前記操作手段の操作量に対する画面上での前記焦点検出領域の移動量を、前記焦点検出領域の密度が低い場合の、前記操作手段の操作量に対する画面上での前記焦点検出領域の移動量よりも大きくすることを特徴とする請求項１４に記載の撮像装置。
【請求項１６】
前記操作手段は、光学トラッキングポインターであることを特徴とする請求項１乃至１５のいずれか１項に記載の撮像装置。
【請求項１７】
前記操作手段は、タッチパネルであることを特徴とする請求項１乃至１５のいずれか１項に記載の撮像装置。
【請求項１８】
ユーザーによる移動操作により、画面上の焦点検出領域を移動させることが可能な操作手段を備える撮像装置を制御する方法であって、
撮影状況に応じて、前記操作手段の操作量に対する画面上での前記焦点検出領域の移動量を変更するように制御する制御工程を有することを特徴とする撮像装置の制御方法。
【請求項１９】
請求項１８に記載の制御方法をコンピュータに実行させるためのプログラム。
【請求項２０】
請求項１８に記載の制御方法をコンピュータに実行させるためのプログラムを記憶したコンピュータが読み取り可能な記憶媒体。
【発明の詳細な説明】
【技術分野】
【０００１】
本発明は、撮像装置において焦点検出領域を移動させる操作の操作性を向上させる技術に関するものである。
【背景技術】
【０００２】
従来、カメラにより撮影を行う場合、カメラの背面の表示部の画像を見ながら撮影を行う場合（以下、ライブビュー撮影と呼ぶ）とファインダーを覗いて撮影を行う場合（以下、ファインダー撮影と呼ぶ）がある。このように２つの撮影方法がある場合、それぞれの方法においてカメラが提供する機能が異なる場合には、操作部材の操作受付条件を変えることがあった。
【０００３】
例えば、特許文献１には、ライブビュー撮影と、ファインダー撮影とで、それぞれ有効な操作部材を切り替える手法が開示されている。
【先行技術文献】
【特許文献】
【０００４】
【特許文献１】特開２００８−２７５７３２号公報
【発明の概要】
【発明が解決しようとする課題】
【０００５】
しかしながら、上述の特許文献１に開示された従来技術では、ライブビュー撮影を行う場合とファインダー撮影を行う場合とで操作部材自体の有効無効を切り替えている。そのため、例えばある操作部材に焦点検出領域を選択する機能が割り当てられている場合、ライブビュー撮影を行う場合とファインダー撮影を行う場合とで、同じ操作部材で焦点検出領域を選択することができない。これは、ユーザーに使用上の違和感を与えることになる。
【０００６】
また、２つの撮影方法に対して、同じ操作部材に同じ機能を割り当てた場合、次のような問題が生じる。例えば上記と同様に、ある操作部材で焦点検出領域の選択を行う場合、ライブビュー撮影では、ユーザーは自分の指の動きを視認しながら操作を行うことができるので、緻密な選択操作が可能である。一方、ファインダー撮影では、自分の指の動きが視認できないので、ライブビュー撮影に比べて指の動きは荒くなってしまう。そのため、操作部材にライブビュー撮影を前提にしたアルゴリズムを適用すると、ファインダー撮影を行う場合、ユーザーの思い通りの操作ができないことがある。
【０００７】
本発明は上述した課題に鑑みてなされたものであり、その目的は、ライブビュー撮影とファインダー撮影のいずれの場合でも、焦点検出領域を移動させる操作の良好な操作性を実現することである。
【課題を解決するための手段】
【０００８】
本発明に係わる撮像装置は、ユーザーによる移動操作により、画面上の焦点検出領域を移動させることが可能な操作手段と、撮影状況に応じて、前記操作手段の操作量に対する画面上での前記焦点検出領域の移動量を変更するように制御する制御手段と、を備えることを特徴とする。
【発明の効果】
【０００９】
本発明によれば、ライブビュー撮影とファインダー撮影のいずれの場合でも、焦点検出領域を移動させる操作の良好な操作性を実現することが可能となる。
【図面の簡単な説明】
【００１０】
【図１】本発明の撮像装置の第１の実施形態である一眼レフデジタルカメラを示す斜視図。
【図２】第１の実施形態のカメラの構成を示すブロック図
【図３】第１の実施形態における焦点検出枠位置の移動動作を示すフローチャート。
【図４】第２の実施形態における焦点検出枠位置の移動動作を示すフローチャート。
【図５】第３の実施形態における焦点検出枠位置の移動動作を示すフローチャート。
【図６Ａ】図１に示すカメラを用いた撮影の一例を説明するための図。
【図６Ｂ】図１に示すカメラを用いた撮影の一例を説明するための図。
【図６Ｃ】図１に示すカメラを用いた撮影の一例を説明するための図。
【図６Ｄ】図１に示すカメラを用いた撮影の一例を説明するための図。
【発明を実施するための形態】
【００１１】
以下、添付図面を参照して実施形態を詳しく説明する。尚、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１２】
（第１の実施形態）
図１は、本発明の撮像装置の第１の実施形態である一眼レフデジタルカメラ(以降、カメラと称する)１００を示す斜視図である。具体的には、図１（ａ） は、カメラ１００を前面側から見た図であって、撮影レンズユニットを外した状態を示す。図１（ｂ） は、一眼レフカメラ１００を背面側から見た図である。
【００１３】
図１（ａ）において、カメラ１００には、横位置での撮影時にユーザーがカメラ１００を安定して握り、操作出来るよう、前方に突出した第１グリップ部１０１が設けられている。またカメラ１００には、縦位置での撮影時にユーザーがカメラ１００を安定して握り、操作出来るよう、前方に突出した第２グリップ部１０２が設けられている。シャッターボタン１０３，１０５は、撮影指示を行うための操作部材である。
【００１４】
メイン電子ダイヤル１０４，１０６は回転操作部材であり、このメイン電子ダイヤル１０４，１０６を回すことにより、シャッター速度や絞りなどの設定値の変更等を行うことができる。シャッターボタン１０３，１０５、及びメイン電子ダイヤル１０４，１０６は、スイッチ部７０に含まれる。シャッターボタン１０３、メイン電子ダイヤル１０４は横位置撮影用、シャッターボタン１０５、メイン電子ダイヤル１０６は縦位置撮影用として主に使用することが出来る。
【００１５】
図１（ｂ）において、表示部２８は画像や各種情報を表示可能な表示部である。表示部２８は、タッチ操作を受け付け（タッチ検出）可能なタッチパネル７０ａと重畳して、もしくは一体となって設けられている。
【００１６】
光学トラッキングポインター１、光学トラッキングポインター２（以降、光学トラッキングポインターをＯＴＰと称する）はタッチ操作を受け付けることが可能なタッチ操作部材(本実施形態では赤外線式センサー)である。ファインダーを覗いたまま、ＯＴＰ１は第１グリップ部１０１を、ＯＴＰ２は第２グリップ部１０２を握った右手の親指でタッチ操作、及び任意の２次元方向へスライド操作（移動操作）することが出来る。ＯＴＰ１は横位置撮影用、ＯＴＰ２は縦位置撮影用として主に使用することが出来る。また、第１グリップ部１０１または第２グリップ部１０２を握り、タッチ操作及びスライド操作をしながら、即座にＡＦ（オートフォーカス）が開始出来るよう、ＯＴＰ１はＡＦ−ＯＮボタン８０ａ内に、ＯＴＰ２はＡＦ−ＯＮボタン８０ｂ内にそれぞれ組み込まれている。
【００１７】
ＯＴＰ１、ＯＴＰ２は、タッチパネル７０ａとは異なる操作部材であり、表示機能は備えていない。カメラ１００を操作するユーザーは、ＯＴＰ１またはＯＴＰ２を操作することにより、表示部２８の画面上に表示された焦点検出枠３０５の位置を移動させることが出来る。なお、表示部２８に表示でき、かつ移動させることが出来るものであれば、ＯＴＰ１、ＯＴＰ２を操作して移動させる対象物は、いかなるものでもよく、また同一対象物でなくてもよい。
【００１８】
モード切り替えスイッチ６０は、各種モードを切り替えるための操作部材である。なお、本実施形態のカメラ１００では、焦点検出領域（焦点検出枠）の配置数が異なる複数の焦点検出方式により焦点検出を行うことが可能であり、モード切り替えスイッチ６０は、この焦点検出方式の切り替えも行う。さらには、焦点検出領域の配置範囲の広さが異なる複数の焦点検出方式により焦点検出を行うことも可能であり、モード切り替えスイッチ６０は、この焦点検出方式の切り替えも行う。
【００１９】
電源スイッチ７２は、カメラ１００の電源のＯＮ及びＯＦＦを切り替える操作部材である。サブ電子ダイヤル７３は選択枠の移動や画像送りなどを行う回転操作部材である。８方向キー７４ａ，７４ｂは、上、下、左、右、左上、左下、右上、右下部分をそれぞれ押し込み可能な操作部材であり、８方向キー７４ａ，７４ｂ の押された方向に応じた操作が可能である。８方向キー７４ａは横位置撮影用、８方向キー７４ｂは縦位置撮影用として主に使用することが出来る。ＳＥＴボタン７５は、主に選択項目の決定などに用いられる操作部材である。静止画／動画切り替えスイッチ７７は、静止画撮影モードと動画撮影モードを切り替える操作部材である。
【００２０】
ＬＶボタン７８は、ライブビュー（以下、ＬＶ）のＯＮとＯＦＦを切り替える操作部材である。再生ボタン７９は、撮影モード（撮影画面）と再生モード（再生画面）とを切り替える操作部材である。Ｑボタン７６はクイック設定をするための操作部材であり、撮影画面においてＱボタン７６を押下すると、設定値の一覧が表示されて設定項目を選択可能になり、さらに設定項目を選択すると各設定項目の設定画面へと遷移することができる。撮影モード中に再生ボタン７９を押下することにより再生モードに移行し、記録媒体２００（図２参照）に記録された画像のうち最新の画像を表示部２８に表示させることができる。
【００２１】
モード切り替えスイッチ６０、電源スイッチ７２、サブ電子ダイヤル７３、８方向キー７４ａ，７４ｂ、ＳＥＴボタン７５、Ｑボタン７６、静止画／動画切り替えスイッチ７７、ＬＶボタン７８、再生ボタン７９は、スイッチ部７０に含まれる。ＡＦ−ＯＮボタン８０ａ，８０ｂはＡＦを開始するための操作部材であり、スイッチ部７０に含まれる。ＡＦ−ＯＮボタン８０ａは横位置撮影用、ＡＦ−ＯＮボタン８０ｂは縦位置撮影用として主に使用することが出来る。
【００２２】
メニューボタン８１は、スイッチ部７０に含まれ、カメラ１００の各種設定を行うための操作部材である。メニューボタン８１が押されると各種の設定可能なメニュー画面が表示部２８に表示される。ユーザーは、表示部２８に表示されたメニュー画面と、サブ電子ダイヤル７３、８方向キー７４ａ，７４ｂ、ＳＥＴボタン７５、メイン電子ダイヤル１０４，１０６を用いて直感的に各種設定を行うことができる。
【００２３】
接眼ファインダー１６はレンズユニットを通して得た被写体の光学像の焦点や構図の確認を行うための、被写体を観察可能な覗き込み型のファインダーである。ＩＮＦＯボタン８２はスイッチ部７０に含まれ、カメラ１００の各種情報を表示部２８に表示することが出来る。
【００２４】
図６Ａ〜６Ｄは、図１に示すカメラを用いた撮影の一例を説明するための図である。図６Ａ、６Ｃは、撮影の際にファインダーにて見える像を示す図であり、図６Ｂ、６Ｄは、撮影の際に表示部２８に表示される像を示す図である。
【００２５】
今、ユーザーが手３０１によって第１のグリップ部１０１を把持して、ＯＴＰ１を親指３０１ｂで操作しているものとする。ユーザーがＯＴＰ１を操作する親指３０１ｂをスライド操作することによって、システム制御部５０がＯＴＰ１のタッチムーブを検知する。
【００２６】
図６Ａ、６Ｃにおいて、焦点検出枠４０５はファインダーにて見える移動前の焦点検出枠である。そして、焦点検出枠４０５ａ，４０５ｃは移動後の焦点検出枠である。タッチムーブによって焦点検出枠４０５が焦点検出枠４０５ａ，４０５ｃの位置に移動する。
【００２７】
図６Ｂ、６Ｄにおいて、表示部２８に表示した際において、焦点検出枠３０５は移動前の焦点検出枠である。そして、焦点検出枠３０５ｂ，３０５ｄは移動後の焦点検出枠である。タッチムーブによって焦点検出枠３０５が焦点検出枠３０５ｂ，３０５ｄの位置に移動する。
【００２８】
ここで、図６Ａ、６Ｂは、同じＯＴＰの操作量に対して、一律に焦点検出枠の移動量 (Δｘ，Δｙ) で制御した場合を表している。ライブビュー撮影の場合、ファインダー撮影に比べて、焦点検出枠の取りうる位置の選択可能な範囲が広く、細かい位置調整が可能である。したがって、移動量（Δｘ，Δｙ）で単純に制御しても意図した位置へ合わせやすい。これに対して、ファインダー撮影の場合、ライブビュー撮影に比べて、焦点検出枠の取りうる位置の選択可能な点数が少なく、予め決まっている位置の密度が高いため、細かい位置調整が不可能である。また、ライブビュー撮影では、ユーザーの顔がカメラから離れているため、比較的細かい操作がしやすいが、ファインダー撮影の場合には、ユーザーの顔と、手やカメラとの距離が接近しているため、比較的細かい操作がしにくい。したがって、移動量 (Δｘ，Δｙ）での単純な制御をすると、意図しない方向に移動する、行き過ぎるといったことがおこり、ユーザーに違和感を与えてしまう可能性がある。
【００２９】
そこで、本実施形態では、図６Ｃ、６Ｄのように、同じＯＴＰの操作量に対して、ファインダー撮影の場合の方が、ライブビュー撮影の場合よりも、焦点検出枠位置がより小さく動くように焦点検出枠位置の移動量を制御する。言い換えると、同じＯＴＰの操作量に対して、ライブビュー撮影の場合の方が、ファインダー撮影の場合よりも、焦点検出枠位置がより大きく動くように焦点検出枠位置の移動量を制御することになる。これにより、ライブビュー撮影のときも、ファインダー撮影のときも、操作量が同じ第１の値だったときには、焦点検出枠の移動量は、ライブビュー撮影のときの方が大きくなる。
【００３０】
なお、ＯＴＰ１、ＯＴＰ２の各々はタッチおよびスライド操作の受付について有効および無効に切り替えることができる。また、ＯＴＰ１、ＯＴＰ２の各々はＡＦ動作中においてもタッチおよびスライド操作を受け付けることができる。
【００３１】
このように、本実施形態では、押し込みの際の誤検知を回避するため、押しボタンにおけるストロークを確保する。そして、操作部材間における指の移動を行うことなくＡＦ位置の選択およびＡＦの開始を容易に行うことができる。
【００３２】
なお、上述の例では、選択部材（ポインティングデバイス）はＡＦ位置の選択およびＡＦの開始に用いる場合について説明したが、カメラにおける撮像、再生、および設定に係る動作を選択して当該選択した動作の開始又は選択の決定を指示することに適用することができる。
【００３３】
例えば、表示部に撮像、再生、および設定に係る動作を選択するための画面を表示するとともに、当該画面から撮像、再生、および設定を選択するためのカーソル（表示体）を表示する。そして、選択部材（ポインティングデバイス）による入力量に応じてカーソルを移動させて操作部材の操作に応じてカーソルによって選択された動作を実行する。
【００３４】
また、前述のように、ポインティングデバイスは操作部材内に配置される。さらに、撮像には被写体をフォーカスする動作が含まれ、再生には画像送りおよび画像の拡大縮小が含まれており、設定には少なくともシャッタースピード、ＩＳＯ感度、絞り、および露出補正の設定が含まれている。
【００３５】
図２は、本実施形態のカメラ１００の構成を示すブロック図である。
【００３６】
図２において、レンズユニット１５０は、撮影レンズを搭載する交換可能なレンズユニットである。レンズ１５５は通常、複数枚のレンズから構成されるが、ここでは簡略化して一枚のレンズのみで示している。
【００３７】
通信端子６は、レンズユニット１５０がカメラ１００と通信を行うための通信端子であり、通信端子１０はカメラ１００がレンズユニット１５０と通信を行うための通信端子である。レンズユニット１５０は、この通信端子６，１０を介してシステム制御部５０と通信する。そして、内部のレンズシステム制御回路１５４は、絞り駆動回路１５２を介して絞り１５１の制御を行い、ＡＦ駆動回路１５３を介してレンズ１５５の位置を変位させることにより焦点を合わせる。レンズユニット１５０はカメラ１００に設けられた装着部を介してカメラ１００に装着される。レンズユニット１５０として、単焦点レンズやズームレンズなどの様々な種類のレンズを装着することができる。
【００３８】
ＡＥセンサー１７は、レンズユニット１５０、クイックリターンミラー１２を介してフォーカシングスクリーン１３上に結像した被写体像の輝度を測光する。
【００３９】
焦点検出部１１（ＡＦセンサー）は、クイックリターンミラー１２を介して入射する像を光電変換し、システム制御部５０にデフォーカス量情報を出力する位相差検出方式のＡＦセンサーである。システム制御部５０は、デフォーカス量情報に基づいてレンズユニット１５０を制御し、焦点調節を行う。ＡＦの方法は、位相差ＡＦに限らず、コントラストＡＦでもよい。また、位相差ＡＦは焦点検出部１１を用いずに、撮像部２２の撮像面で検出されたデフォーカス量に基づいて行ってもよい（撮像面位相差ＡＦ）。
【００４０】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１５５から入射した光束をファインダー１６側と撮像部２２側とに切替えるためのミラーである。ミラー１２は通常時はファインダー１６へと光束を反射させて導くように配置されているが、撮影が行われる場合やライブビュー表示の場合には、撮像部２２へと光束を導くように上方に跳ね上がり、光路中から退避する（ミラーアップ）。またミラー１２は、その中央部が光の一部を透過できるようにハーフミラーとなっており、光束の一部を、焦点検出を行うための焦点検出部１１に入射するように透過させる。
【００４１】
ユーザーは、ペンタプリズム１４とファインダー１６を介して、フォーカシングスクリーン１３上に結像した像を観察することにより、レンズユニット１５０を通して得た被写体の光学像の焦点状態や構図の確認を行うことができる。フォーカルプレーンシャッター２１（以下、シャッター２１）は、システム制御部５０の制御により撮像部２２の露光時間を制御する。
【００４２】
撮像部２２は光学像を電気信号に変換するＣＣＤやＣＭＯＳ素子等で構成される撮像素子を備える。Ａ／Ｄ変換器２３は、撮像部２２から出力されるアナログ信号をデジタル信号に変換する。
【００４３】
画像処理部２４は、Ａ／Ｄ変換器２３からのデータ、又は、メモリ制御部１５からのデータに対し所定の画素補間処理、縮小処理といったリサイズ処理や、色変換処理を行う。また、画像処理部２４では、撮像した画像データを用いて所定の演算処理が行われ、得られた演算結果に基づいてシステム制御部５０が露光制御、焦点検出制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００４４】
メモリ３２は、撮像部２２によって取得されＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。メモリ３２は、メモリカードなどの着脱可能な記録媒体であっても、内蔵メモリであってもよい。
【００４５】
表示部２８は、画像を表示するための液晶表示装置などの背面モニタであり、図１（ｂ）に示すようにカメラ１００の背面に設けられている。Ｄ／Ａ変換器１９は、メモリ３２に格納されている表示用の画像データをアナログ信号に変換して表示部２８に供給する。表示部２８は、画像を表示するディスプレイであれば液晶方式に限らず、有機ＥＬなど他の方式のディスプレイであってもよい。
【００４６】
姿勢検出部５５は、カメラ１００の傾き角度などの姿勢を検出するためのセンサーである。不揮発性メモリ５６は、システム制御部５０によって電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態において後述する各種フローチャートを実行するためのプログラムのことである。
【００４７】
システム制御部５０は、少なくとも１つのプロセッサーを内蔵し、カメラ１００全体を制御する。不揮発性メモリ５６に記録されたプログラムを実行することにより、後述する本実施形態の各処理を実行する。システムメモリ５２では、システム制御部５０の動作用の定数、変数などを一時的に記憶するとともに、不揮発性メモリ５６から読み出したプログラム等を展開する。また、システム制御部５０は、メモリ３２、Ｄ／Ａ変換器１９、表示部２８等を制御することにより表示制御も行う。
【００４８】
システムタイマー５３は各種制御に用いる時間や、内蔵された時計の時間を計測する計時部である。モード切り替えスイッチ６０は、システム制御部５０の動作モードを静止画撮影モード、動画撮影モード等の各種モードのいずれかに切り替える。静止画撮影モードには、Ｐモード（プログラムＡＥ）、Ｍモード（マニュアル）等が含まれる。あるいは、モード切り替えスイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。Ｍモードでは、絞り数値、シャッター速度、ＩＳＯ感度をユーザーが設定でき、ユーザーの意図する露出で撮影を行う。
【００４９】
第１シャッタースイッチ６２は、カメラ１００に設けられたシャッターボタン１０３，１０５の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。またＡＥセンサー１７による測光も行う。第２シャッタースイッチ６４は、シャッターボタン１０３，１０５の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００５０】
電源制御部８３は、電池検出回路、ＤＣ−ＤＣコンバータ、通電するブロックを切り替えるスイッチ回路等により構成され、電池の装着の有無、電池の種類、電池残量の検出を行う。また、電源制御部８３は、その検出結果及びシステム制御部５０の指示に基づいてＤＣ−ＤＣコンバータを制御し、必要な電圧を必要な期間、記録媒体２００を含む各部へ供給する。電源スイッチ７２はカメラ１００の電源のＯＮ、ＯＦＦを切り替えるためのスイッチである。
【００５１】
電源部３０は、アルカリ電池やリチウム電池等の一次電池、ＮｉＣｄ電池やＮｉＭＨ電池やＬｉイオン電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００５２】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、あたかもユーザーが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出することができる。
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００５３】
タッチダウンが検知されると、同時にタッチオンであることも検知される。タッチダウンの後、タッチアップが検出されない限りは、通常はタッチオンが検知され続ける。タッチムーブが検知されるのもタッチオンが検知されている状態である。タッチオンが検知されていても、タッチ位置が移動していなければタッチムーブは検知されない。タッチしていた全ての指やペンがタッチアップしたことが検知された後は、タッチオフとなる。さらにタッチオン状態で所定以上の圧力がタッチパネル７０ａ上にかかる押圧状態を検知できるようにしてもよい。
【００５４】
これらの操作状態や、タッチパネル７０ａ上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。
【００５５】
タッチパネル７０ａ は、抵抗膜方式や静電容量方式、表面弾性波方式、赤外線方式、電磁誘導方式、画像認識方式、光センサー方式等、様々な方式のタッチパネルのうちいずれの方式のものを用いてもよい。方式によって、タッチパネルに対する接触があったことでタッチがあったと検出する方式や、タッチパネルに対する指やペンの接近があったことでタッチがあったと検出する方式ものがあるが、いずれの方式でもよい。
【００５６】
システム制御部５０は、ＯＴＰ１、ＯＴＰ２の出力情報に基づいて、スライド操作による動きの方向(以降、移動方向と称する)を、上、下、左、右、左上、左下、右上、右下の８方向で算出する。またシステム制御部５０は、ＯＴＰ１、ＯＴＰ２の出力情報に基づいて、スライド操作による動きの量をｘ軸方向、ｙ軸方向(以降、移動量（ｘ，ｙ）と称する)の２次元方向で算出する。システム制御部５０は、さらにＯＴＰ１、ＯＴＰ２への以下の操作、あるいは状態を検知することができる。
・ＯＴＰ１、またはＯＴＰ２にタッチしていなかった指が新たにＯＴＰ１、またはＯＴＰ２にタッチしたこと。すなわち、タッチの開始（以下、タッチダウン（Ｔｏｕｃｈ−Ｄｏｗｎ）と称する）。
・ＯＴＰ１、またはＯＴＰ２を指でタッチしている状態であること（以下、タッチオン（Ｔｏｕｃｈ−Ｏｎ）と称する）。
・ＯＴＰ１、またはＯＴＰ２を指でタッチしたまま移動していること（以下、タッチムーブ（Ｔｏｕｃｈ−Ｍｏｖｅ）と称する）。
・ＯＴＰ１、またはＯＴＰ２へタッチしていた指を離したこと。すなわち、タッチの終了（以下、タッチアップ（Ｔｏｕｃｈ−Ｕｐ）と称する）。
・ＯＴＰ１、またはＯＴＰ２に何もタッチしていない状態（以下、タッチオフ（ＴｏｕｃｈーＯｆｆ）と称する）。
【００５７】
タッチダウンが検知されると、同時にタッチオンであることも検知される。タッチダウンの後、タッチアップが検知されない限りは、通常はタッチオンが検知され続ける。タッチムーブが検知されるのもタッチオンが検知されている状態である。タッチオンが検知されていても、移動量（ｘ，ｙ）が０であれば、タッチムーブは検知されない。タッチしていた全ての指やペンがタッチアップしたことが検知された後は、タッチオフとなる。
【００５８】
システム制御部５０は、これらの操作状態や移動方向、移動量（ｘ，ｙ）に基づいて、ＯＴＰ１、ＯＴＰ２上にどのような操作（タッチ操作）が行なわれたかを判定する。タッチムーブについてはＯＴＰ１、ＯＴＰ２上で、上、下、左、右、左上、左下、右上、右下の８方向、またはｘ軸方向、ｙ軸方向の２次元方向の移動を検知する。システム制御部５０は、８方向のいずれかの方向への移動、またはｘ軸方向、ｙ軸方向の２次元方向の片方もしくは両方への移動が検出された場合は、スライド操作が行なわれたと判定するものとする。ＯＴＰ１またはＯＴＰ２上に指をタッチし、スライド操作することなく、所定時間以内にタッチを離す操作があった場合に、タップ操作が行われたと判定するものとする。
【００５９】
ＯＴＰ１、ＯＴＰ２は、本実施形態では、赤外線方式のタッチセンサーであるものとする。ただし、抵抗膜方式、表面弾性波方式、静電容量方式、電磁誘導方式、画像認識方式、光センサー方式等、別の方式のタッチセンサーであってもよい。
【００６０】
次に、上記のように構成される本実施形態のカメラ１００における焦点検出枠位置の移動動作について説明する。図３は、本実施形態における焦点検出枠位置の移動動作を示すフローチャートである。
【００６１】
Ｓ３０１において、システム制御部５０は、５０ｍｓのポーリング周期でＯＴＰ（光学トラッキングポインターＯＴＰ１、ＯＴＰ２）の操作入力をチェックする。ポーリング周期ごとにＳ３０２でＸ方向への操作量を、Ｓ３０３でＹ方向への操作量を取得する。
【００６２】
Ｓ３０４において、システム制御部５０は、ＬＶボタン７８のＯＮかＯＦＦ化に基づいて、現在の撮影方法がファインダーを用いた撮影（ファインダー撮影）であるか否かを確認する。そして、ファインダー撮影であれば、Ｓ３０５に進み、Ｓ３０２及びＳ３０３で得られた操作量に従って焦点検出枠位置の移動量を算出する。
【００６３】
Ｓ３０４において、現在の撮影方法がファインダー撮影でなかった場合、Ｓ３０６において、現在の撮影方法が背面パネル表示での撮影（ライブビュー撮影）であるか否かを確認する。そして、ライブビュー撮影であれば、Ｓ３０７に進み、Ｓ３０２及びＳ３０３で得られた操作量に１より大きい係数をかけて、同じＯＴＰの操作量に対して、ファインダー撮影の場合よりも、焦点検出枠位置がより大きく動くように焦点検出枠位置の移動量を算出する。
【００６４】
なお、Ｓ３０６において、現在の撮影方法がライブビュー撮影でもない場合は、そのままＳ３０８に進む。
【００６５】
Ｓ３０８では、ＯＴＰの操作の受け付けを停止するか否かの判断を行い、停止する場合はこのフローの処理を終了し、停止しない場合はＳ３０１へ戻る。
【００６６】
以上説明したように、第１の実施形態では、ユーザーが自分の指の動きを視認しながら焦点検出枠位置を移動させることができ、繊細な操作ができるライブビュー撮影においては、視認することができないファインダー撮影の場合よりも、ＯＴＰの操作量に対する焦点検出枠位置の移動量を大きくする。これにより、ＯＴＰの操作量に対する、ファインダー撮影とライブビュー撮影に適した焦点検出枠位置の移動感度を得ることができ、いずれの撮影方法においても、焦点検出枠位置を移動させるときの良好な操作性を実現することができる。
【００６７】
（第２の実施形態）
この第２の実施形態では、カメラ１００の構成は第１の実施形態と同一であり、焦点検出枠位置の移動動作のみが異なる。そのため、カメラ１００の構成についての説明は省略し、焦点検出枠位置の移動動作について説明する。
【００６８】
図４は、第２の実施形態における焦点検出枠位置の移動動作を示すフローチャートである。
【００６９】
Ｓ４０１において、システム制御部５０は５０ｍｓのポーリング周期でＯＴＰの操作入力をチェックする。ポーリング周期ごとにＳ４０２でＸ方向への操作量を、Ｓ４０３でＹ方向への操作量を取得する。
【００７０】
Ｓ４０４において、システム制御部５０は、モード切り替えスイッチ６０の状態から、現在のＡＦ（オートフォーカス）方式が、焦点検出枠位置として選択可能な点が少ない方式であるか否かを確認する。そして、ＡＦ方式が選択可能点が相対的に少ない方式であれば、Ｓ４０５に進み、Ｓ４０２及びＳ４０３で得られた操作量に従って焦点検出枠位置の移動量を算出する。
【００７１】
Ｓ４０４において、現在のＡＦ方式が選択可能点が少ない方式でなかった場合、Ｓ４０６において、ＡＦ方式が選択可能点が多い方式であるか否かを確認する。そして、ＡＦ方式が選択可能点が多い方式であれば、Ｓ４０７に進み、Ｓ４０２及びＳ４０３で得られた操作量に１より大きい係数をかけて、同じＯＴＰの操作量に対して、選択可能点が少ない方式よりも、焦点検出枠位置がより大きく動くように焦点検出枠位置の移動量を算出する。
【００７２】
なお、Ｓ４０６において、現在のＡＦ方式が選択可能点が多い方式でもない場合は、そのままＳ４０８に進む。
【００７３】
Ｓ４０８では、ＯＴＰの操作の受け付けを停止するか否かの判断を行い、停止する場合はこのフローの処理を終了し、停止しない場合はＳ４０１へ戻る。
【００７４】
以上説明したように、第２の実施形態では、焦点検出枠位置の選択可能点が相対的に多いＡＦ方式においては、選択可能点が相対的に少ないＡＦ方式の場合よりも、ＯＴＰの操作量に対する焦点検出枠位置の移動量を大きくする。これにより、ＯＴＰの操作量に対する、焦点検出枠位置の選択可能点が多いＡＦ方式と選択可能点が少ないＡＦ方式に適した焦点検出枠位置の移動感度を得ることができる。そして、いずれのＡＦ方式においても、焦点検出枠位置を移動させるときの良好な操作性を実現することができる。
【００７５】
（第３の実施形態）
この第３の実施形態でも、カメラ１００の構成は第１の実施形態と同一であり、焦点検出枠位置の移動動作のみが異なる。そのため、カメラ１００の構成についての説明は省略し、焦点検出枠位置の移動動作について説明する。
【００７６】
図５は、第３の実施形態における焦点検出枠位置の移動動作を示すフローチャートである。
【００７７】
Ｓ５０１において、システム制御部５０は５０ｍｓのポーリング周期でＯＴＰの操作入力をチェックする。ポーリング周期ごとにＳ５０２でＸ方向への操作量を、Ｓ５０３でＹ方向への操作量を取得する。
【００７８】
Ｓ５０４において、システム制御部５０は、モード切り替えスイッチ６０の状態から、現在のＡＦ方式が焦点検出枠位置の選択可能範囲が狭い方式であるか否かを確認する。そして、ＡＦ方式が選択可能範囲が狭い方式であればＳ５０５に進み、Ｓ５０２及びＳ５０３で得られた操作量に従って焦点検出枠位置の移動量を算出する。
【００７９】
Ｓ５０４において、現在のＡＦ方式が選択可能範囲が狭い方式でなかった場合、Ｓ５０６において、ＡＦ方式が焦点検出枠位置の選択可能範囲が広い方式であるか否かを確認する。そして、ＡＦ方式が選択可能範囲の広い方式であれば、Ｓ５０７に進み、Ｓ５０２及びＳ５０３で得られた操作量に１より大きい係数をかけて、同じＯＴＰの操作量に対して、選択可能範囲が狭い方式よりも、焦点検出枠位置がより大きく動くように焦点検出枠位置の移動量を算出する。
【００８０】
なお、Ｓ５０６において、現在のＡＦ方式が選択可能範囲が広い方式でもない場合は、そのままＳ５０８に進む。
【００８１】
Ｓ５０８では、ＯＴＰの操作の受け付けを停止するか否かの判断を行い、停止する場合はこのフローの処理を終了し、停止しない場合はＳ４０１へ戻る。
【００８２】
以上説明したように、第３の実施形態では、焦点検出枠位置の選択可範囲が相対的に広いＡＦ方式においては、選択可能範囲が相対的に狭いＡＦ方式の場合よりも、ＯＴＰの操作量に対する焦点検出枠位置の移動量を大きくする。これにより、ＯＴＰの操作量に対する、焦点検出枠位置の選択可能範囲が広いＡＦ方式と選択可範囲が狭いＡＦ方式に適した焦点検出枠位置の移動感度を得ることができる。そして、いずれのＡＦ方式においても、焦点検出枠位置を移動させるときの良好な操作性を実現することができる。
【００８３】
なお、上記の実施形態では、ＯＴＰの操作量に対する焦点検出領域の移動量を、撮影状況に応じて異ならせる例として、ファインダー撮影とライブビュー撮影の場合、焦点検出領域の配置数が異なるＡＦ方式の場合、焦点検出領域の配置数が異なるＡＦ方式の場合、の３つの場合を挙げて説明した。しかし、本発明は、これらの場合以外の撮影状況にも適用可能である。例えば、画像信号から被写体を検出する検出手段を持ち、複数の被写体を検出した場合に、被写体間の距離が一定距離よりも大きくなったときに、ＯＴＰの操作量に対する焦点検出領域の移動量を大きくするようにしてもよい。また、オートフォーカス動作を継続的に行うサーボモードと、１回のオートフォーカス動作で動作を完了するワンショットモードの２つのオートフォーカスモードを持ち、サーボモード時はワンショットモード時よりもＯＴＰの操作量に対する焦点検出領域の移動量を大きくするようにしてもよい。
【００８４】
さらに、上記の実施形態では、焦点検出領域を移動させる操作部材としてＯＴＰを例に挙げて説明したが、ＯＴＰの代わりにタッチパネル７０ａを用いて焦点検出領域を移動させるようにしてもよい。この場合も、第１乃至第３の実施形態に示したＯＴＰを用いた制御と同様の制御を行うことが可能である。
【００８５】
（他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【００８６】
発明は上記実施形態に制限されるものではなく、発明の精神及び範囲から離脱することなく、様々な変更及び変形が可能である。従って、発明の範囲を公にするために請求項を添付する。
【符号の説明】
【００８７】
１：ＯＴＰ、２：ＯＴＰ，１１：焦点検出部、１６：ファインダー、２２：撮像部、２８：表示部、５０：システム制御部、１００：カメラ、１５０：レンズユニット
【図１】
2020171009.tif 000003
【図２】
2020171009.tif 000004
【図３】
2020171009.tif 000005
【図４】
2020171009.tif 000006
【図５】
2020171009.tif 000007
【図６Ａ】
2020171009.tif 000008
【図６Ｂ】
2020171009.tif 000009
【図６Ｃ】
2020171009.tif 000010
【図６Ｄ】
2020171009.tif 000011